(57)【要約】【課題】外部の装置から画像を取得する場合において、所望の取得元から取得された画像を容易に検索する。【解決手段】  取得部７１は、メモリカード４３または外部装置５１より画像データを取得する。画像管理部７３は、その取得された画像データと、その画像データが外部より取得された画像データであることを示す取得元情報とを関連付けて管理するように、記録制御部７４による記録を制御する。本発明は、例えば、デジタルスチルカメラに適用することができる。【選択図】      図２
2007066005.tif 000002
【特許請求の範囲】
【請求項１】
外部の装置より画像データを取得する少なくとも１つの画像データ取得手段と、
前記画像データ取得手段により取得される画像データを記録する記録手段と、
前記画像データを前記記録手段に記録する記録制御手段と、
前記記録手段に記録される画像データについて、前記画像データと、その画像データの属するグループに関する情報であるグループ情報とを関連付けて管理するように、前記記録制御手段による記録を制御する画像管理手段と
を備え、
前記画像管理手段は、前記画像データ取得手段により取得される画像データと、その画像データが外部より取得された画像データであることを示すグループ情報とを関連付けて管理するように、前記記録制御手段による記録を制御する
画像処理装置。
【請求項２】
前記画像データが外部より取得された画像データであることを示すグループ情報は、前記画像データ取得手段により取得される画像データの取得元を示す情報である
請求項１に記載の画像処理装置。
【請求項３】
前記画像データ取得手段を複数備え、
前記画像管理手段は、前記画像データ取得手段により取得される画像データと、その画像データの取得元を示すグループ情報とを関連付けて管理するように、前記記録制御手段による記録を制御する
請求項１に記載の画像処理装置。
【請求項４】
前記記録手段に記録された画像データを再生する再生手段と、
前記再生手段により再生された画像データを、前記グループ情報ごとに表示させる表示制御手段と
をさらに備える
請求項１に記載の画像処理装置。
【請求項５】
前記記録手段に記録された画像データのうち、所定のグループ情報に関連付けられた画像データを再生する再生手段と、
前記再生手段により再生された画像データを表示させる表示制御手段と
をさらに備える
請求項１に記載の画像処理装置。
【請求項６】
被写体を撮像する撮像手段
をさらに備え、
前記記録制御手段は、前記撮像手段による撮像の結果得られる画像データも前記記録手段に記録し、
前記画像管理手段は、さらに、ユーザからの指令に応じて、前記撮像手段による撮像の結果得られる画像データと、所定のグループ情報とを関連付けて管理するように、前記記録制御手段による記録を制御する
請求項１に記載の画像処理装置。
【請求項７】
前記画像管理手段は、さらに、ユーザからの指令に応じて、前記撮像手段による撮像の結果得られる画像データと関連付けられた前記グループ情報を変更する
請求項６に記載の画像処理装置。
【請求項８】
外部の装置より画像データを取得する画像処理装置の画像処理方法において、
前記外部の装置より前記画像データを取得し、
その取得された画像データと、その画像データが外部より取得された画像データであることを示すグループ情報とを関連付けて記録媒体に記録する
ステップを含む画像処理方法。
【請求項９】
外部の装置より画像データを取得する処理を、コンピュータに行わせるプログラムにおいて、
前記外部の装置より前記画像データを取得し、
その取得された画像データと、その画像データが外部より取得された画像データであることを示すグループ情報とを関連付けて記録媒体に記録する
ステップを含むプログラム。
【発明の詳細な説明】
【技術分野】
【０００１】
本発明は、画像処理装置および画像処理方法、並びにプログラムに関し、特に、外部の装置から画像を取得する場合において、所望の取得元から取得された画像を容易に検索することができるようにした画像処理装置および画像処理方法、並びにプログラムに関する。
【背景技術】
【０００２】
近年、デジタルスチルカメラやビデオカメラなどの画像処理装置において、撮影の結果得られる画像が、その画像に対応する撮影日（画像を取得した取得日）などのグループに分類されて記録されるものがある。
【０００３】
このような画像処理装置においては、例えば、複数の画像のサムネイル画像が、その画像の属するグループごとに枠で囲んで表示される（例えば、特許文献１参照）。
【０００４】
【特許文献１】特開平２０００−４１２０９号公報
【発明の開示】
【発明が解決しようとする課題】
【０００５】
しかしながら、画像処理装置が、外部の装置から取得した画像も記録する場合、画像を取得元ごとのグループに分類して記録することは考えられていない。従って、ユーザは、画像が外部の装置から取得された画像であるのか、または撮影の結果得られた画像であるのかを、画像や画像のファイル名から判断しなければならず、所望の取得元から取得された画像を検索することは困難であった。
【０００６】
また、画像が記録されてから時間が経つほど、ユーザの記憶は曖昧になるため、画像の取得元を正確に判断することは難しい。
【０００７】
本発明は、このような状況に鑑みてなされたものであり、特に、外部の装置から画像を取得する場合において、所望の取得元から取得された画像を容易に検索することができるようにするものである。
【課題を解決するための手段】
【０００８】
本発明の一側面の画像処理装置は、外部の装置より画像データを取得する少なくとも１つの画像データ取得手段と、前記画像データ取得手段により取得される画像データを記録する記録手段と、前記画像データを前記記録手段に記録する記録制御手段と、前記記録手段に記録される画像データについて、前記画像データと、その画像データの属するグループに関する情報であるグループ情報とを関連付けて管理するように、前記記録制御手段による記録を制御する画像管理手段とを備え、前記画像管理手段は、前記画像データ取得手段により取得される画像データと、その画像データが外部より取得された画像データであることを示すグループ情報とを関連付けて管理するように、前記記録制御手段による記録を制御する。
【０００９】
前記画像データが外部より取得された画像データであることを示すグループ情報は、前記画像データ取得手段により取得される画像データの取得元を示す情報であるようにすることができる。
【００１０】
前記画像処理装置には、前記画像データ取得手段を複数設け、前記画像管理手段は、前記画像データ取得手段により取得される画像データと、その画像データの取得元を示すグループ情報とを関連付けて管理するように、前記記録制御手段による記録を制御することができる。
【００１１】
前記画像処理装置には、前記記録手段に記録された画像データを再生する再生手段と、前記再生手段により再生された画像データを、前記グループ情報ごとに表示させる表示制御手段とをさらに設けることができる。
【００１２】
前記画像処理装置には、前記記録手段に記録された画像データのうち、所定のグループ情報に関連付けられた画像データを再生する再生手段と、前記再生手段により再生された画像データを表示させる表示制御手段とをさらに設けることができる。
【００１３】
前記画像処理装置には、被写体を撮像する撮像手段をさらに設け、前記記録制御手段は、前記撮像手段による撮像の結果得られる画像データも前記記録手段に記録し、前記画像管理手段は、さらに、ユーザからの指令に応じて、前記撮像手段による撮像の結果得られる画像データと、所定のグループ情報とを関連付けて管理するように、前記記録制御手段による記録を制御することができる。
【００１４】
前記画像管理手段は、さらに、ユーザからの指令に応じて、前記撮像手段による撮像の結果得られる画像データと関連付けられた前記グループ情報を変更することができる。
【００１５】
本発明の一側面の画像処理方法は、外部の装置より画像データを取得する画像処理装置の画像処理方法において、前記外部の装置より前記画像データを取得し、その取得された画像データと、その画像データが外部より取得された画像データであることを示すグループ情報とを関連付けて記録媒体に記録するステップを含む。
【００１６】
本発明の一側面のプログラムは、外部の装置より画像データを取得する処理を、コンピュータに行わせるプログラムにおいて、前記外部の装置より前記画像データを取得し、その取得された画像データと、その画像データが外部より取得された画像データであることを示すグループ情報とを関連付けて記録媒体に記録するステップを含む。
【００１７】
本発明の一側面においては、外部の装置より画像データを取得し、その取得された画像データと、その画像データが外部より取得された画像データであることを示すグループ情報とを関連付けて記録する。
【発明の効果】
【００１８】
以上のように、本発明の一側面によれば、画像を分類して記録することができる。
【００１９】
また、本発明の一側面によれば、外部の装置から画像を取得する場合において、所望の取得元から取得された画像を容易に検索することができる。
【発明を実施するための最良の形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の画像処理装置は、第１に、
外部の装置（例えば、図１のメモリカード４３）より画像データを取得する少なくとも１つの画像データ取得手段（例えば、図２の取得部７１）と、
前記画像データ取得手段により取得される画像データを記録する記録手段（例えば、図２の記録部７５）と、
前記画像データを前記記録手段に記録する記録制御手段（例えば、図２の記録制御部７４）と、
前記記録手段に記録される画像データについて、前記画像データと、その画像データの属するグループに関する情報であるグループ情報とを関連付けて管理するように、前記記録制御手段による記録を制御する画像管理手段（例えば、図２の画像管理部７３）と
を備え、
前記画像管理手段は、前記画像データ取得手段により取得される画像データと、その画像データが外部より取得された画像データであることを示すグループ情報とを関連付けて管理するように、前記記録制御手段による記録を制御する。
【００２２】
前記画像データが外部より取得された画像データであることを示すグループ情報は、前記画像データ取得手段により取得される画像データの取得元を示す情報（例えば、取得元情報）である。
【００２３】
本発明の一側面の画像処理装置は、第２に、
前記記録手段に記録された画像データを再生する再生手段（例えば、図２の再生部７６）と、
前記再生手段により再生された画像データを、前記グループ情報ごとに表示させる表示制御手段（例えば、図２の表示制御部７７）と
をさらに備える。
【００２４】
本発明の一側面の画像処理装置は、第３に、
前記記録手段に記録された画像データのうち、所定のグループ情報に関連付けられた画像データを再生する再生手段（例えば、図２の再生部７６）と、
前記再生手段により再生された画像データを表示させる表示制御手段（例えば、図２の表示制御部７７）と
をさらに備える。
【００２５】
本発明の一側面の画像処理装置は、第４に、
被写体を撮像する撮像手段（例えば、図２の撮影部７２）
をさらに備え、
前記記録制御手段は、前記撮像手段による撮像の結果得られる画像データも前記記録手段に記録し、
前記画像管理手段は、さらに、ユーザからの指令に応じて、前記撮像手段による撮像の結果得られる画像データと、所定のグループ情報とを関連付けて管理するように、前記記録制御手段による記録を制御する。
【００２６】
本発明の一側面の画像処理方法は、
外部の装置（例えば、図１のメモリカード４３）より画像データを取得する画像処理装置（例えば、図１のデジタルスチルカメラ１）の画像処理方法において、
前記外部の装置より前記画像データを取得し（例えば、図１８のステップＳ１２）、
その取得された画像データと、その画像データが外部より取得された画像データであることを示すグループ情報とを関連付けて記録媒体に記録する（例えば、図１９のステップＳ２５とＳ２６）
ステップを含む。
【００２７】
本発明の一側面のプログラムは、
外部の装置（例えば、図１のメモリカード４３）より画像データを取得する処理を、コンピュータに行わせるプログラムにおいて、
前記外部の装置より前記画像データを取得し（例えば、図１８のステップＳ１２）、
その取得された画像データと、その画像データが外部より取得された画像データであることを示すグループ情報とを関連付けて記録媒体に記録する（例えば、図１９のステップＳ２５とＳ２６）
ステップを含む。
【００２８】
以下、本発明を適用した具体的な実施の形態について、図面を参照しながら詳細に説明する。
【００２９】
図１は、本発明を適用したデジタルスチルカメラ１の構成例を示す図である。
【００３０】
図１のデジタルスチルカメラ１は、カメラ部１０、記録再生処理部２０、および制御部３０から構成される。
【００３１】
カメラ部１０は、光学ブロック１１、カメラ制御部１２、信号変換器１３、および撮像信号処理部１４から構成される。
【００３２】
光学ブロック１１は、被写体を撮像するためのレンズ群、絞り調整機構、フォーカス調整機構、ズーム機構、シャッタ機構、フラッシュ機構、手ぶれ補正機構（いずれも図示せず）などにより構成され、カメラ制御部１２により制御される。光学ブロック１１は、被写体により反射された光を信号変換器１３に供給する。
【００３３】
カメラ制御部１２は、制御部３０のCPU３１の制御により、光学ブロック１１を制御する。信号変換器１３は、例えばCCD（Charge Coupled Device）などの撮像素子により構成され、その撮像素子の受光面に、光学ブロック１１からの光を結像させる。信号変換器１３は、CPU３１から供給される、撮像のタイミングを表すタイミング信号に応じて、受光面に結像されている被写体の像を撮像信号に変換し、撮像信号処理部１４に供給する。
【００３４】
撮像信号処理部１４は、CPU３１の制御により、撮像信号に対してガンマ補正、AGC（Auto Gain Control）、A/D(Analog/Digital)変換などの処理を行い、その結果得られるデジタルデータである画像データを、記録再生処理部２０に供給する。
【００３５】
記録再生処理部２０は、符号化/復号化回路２１、記録再生制御部２２、および記録部２３から構成される。
【００３６】
符号化/復号化回路２１は、CPU３１の制御により、カメラ部１０の撮像信号処理部１４から供給される画像データを、JPEG（Joint Photographic Experts Group）などの所定の符号化方式で符号化する。そして、符号化/復号化回路２１は、符号化の結果得られる画像データを、画像ファイルとして記録再生制御部２２に供給する。
【００３７】
また、符号化/復号化回路２１は、CPU３１の制御により、記録再生制御部２２から供給される画像ファイルを復号化する。符号化/復号化回路２１は、CPU３１の制御により、復号化の結果得られる画像データを、出力制御部３６に供給する。
【００３８】
記録再生制御部２２は、CPU３１の制御により、符号化/復号化回路２１、メモリカードI/F３７、または通信部３９からの画像ファイルを、記録部２３に記録されているすべての画像ファイルを管理するＡＶファイル（後述する図３と図４）と関連付けて管理するように記録（更新）させることにより、グループに分類する。記録再生制御部２２は、画像ファイルを、記録部２３に記録させる。
【００３９】
さらに、記録再生制御部２２は、CPU３１の制御により、記録部２３から画像ファイルを再生して、符号化/復号化回路２１に供給する。また、記録再生制御部２２は、CPU３１の制御により、記録部２３からＡＶファイルを再生して、制御部３０のCPU３１に供給する。さらに、記録再生制御部２２は、CPU３１の制御により、記録部２３から画像ファイルを再生して、メモリカードI/F３７または通信部３９に供給する。
【００４０】
記録部２３は、例えば、ハードディスク、半導体メモリなどにより構成され、画像ファイル、ＡＶファイル、CPU３１により実行されるプログラムなどを記録する。このプログラムは、例えば、メモリカード４３からインストールされる。
【００４１】
制御部３０は、CPU(Central Processing Unit)３１、ROM（Read Only Memory）３３、RAM（Random Access Memory）３４、操作入力I/F(Interface)３５、出力制御部３６、メモリカードI/F３７、時計回路３８、および通信部３９から構成され、それぞれがバス３２を介して接続されている。なお、CPU３１、ROM３３、およびRAM３４は、マイクロコンピュータにより構成されてもよい。
【００４２】
CPU３１は、記録部２３またはROM３３に記録されているプログラムにしたがって、各部を制御し、各種の処理を実行する。具体的には、例えば、CPU３１は、後述する操作入力部４１から操作入力I/F３５を介して入力される撮影（撮像）の指令に応じて、タイミング信号を生成し、バス３２を介して信号変換器１３に供給する。
【００４３】
また、CPU３１は、操作入力部４１から入力される、画像ファイルの取得の指令に応じて、メモリカードI/F３７を制御し、メモリカード４３から画像ファイルを取得して記録再生制御部２２に供給したり、通信部３９を制御し、図示せぬUSB（Universal Serial Bus）などを介して、外部装置５１から画像ファイルを取得し、記録再生制御部２２に供給する。
【００４４】
さらに、CPU３１は、時計回路３８から供給される現在の日時を表す日時情報、操作入力部４１から入力されるユーザから指定されたグループを表すグループ情報、または画像ファイルの取得元に基づいて、ＡＶファイルを作成する。そして、CPU３１は、記録再生制御部２２を制御し、そのＡＶファイルを記録部２３に記録させる。
【００４５】
また、CPU３１は、操作入力部４１から入力される、画像ファイルの再生の指令に応じて、記録再生制御部２２を制御し、記録部２３から画像ファイルを再生して、符号化/復号化回路２１に供給する。そして、CPU３１は、符号化/復号化回路２１を制御して、再生された画像ファイルを復号化し、バス３２と出力制御部３６を介して、出力部４２に供給する。その結果、出力部４２には、再生された画像ファイルに対応する画像が表示される。
【００４６】
さらに、CPU３１は、操作入力部４１の指令に応じて、各種の画面を表示させるための画面情報を作成し、出力制御部３６に供給する。
【００４７】
ROM３３には、CPU３１が実行するプログラムなどが記憶される。RAM３４には、CPU３１の処理により得られるデータなどが適宜記憶される。操作入力I/F３５には、操作入力部４１が接続される。操作入力部I/F３５は、操作入力部４１から供給される指令とグループ情報を、バス３２を介してCPU３１に供給する。
【００４８】
出力制御部３６には、出力部４２が接続される。出力制御部３６は、CPU３１の制御により、符号化/復号化回路２１から供給される画像データまたはCPU３１からの画面情報を、出力部４２に供給する。
【００４９】
メモリカードI/F３７には、必要に応じてメモリカード４３が装着される。メモリカードI/F３７は、CPU３１の制御により、記録再生制御部２２からの画像ファイルをメモリカード４３に記録させる。また、メモリカードI/F３７は、CPU３１の制御により、メモリカード４３から画像ファイルを読み出し（取得し）、記録再生制御部２２に供給する。さらに、メモリカードI/F３７は、CPU３１の制御により、メモリカード４３からメタ情報(例えば、画像ファイルの名前など)とフォルダ情報（例えば、フォルダ名、フォルダ内の画像ファイルの数、フォルダの作成日時など）を読み出し、CPU３１に供給する。
【００５０】
時計回路３８は、現在の日時を計時し、その日時を表す日時情報を、バス３２を介してCPU３１に供給する。
【００５１】
通信部３９は、CPU３１の制御により、記録再生制御部２２からの画像ファイルを、USB（Universal Serial Bus）（図示せず）などを介して外部装置５１に記録させる。なお、通信部３９は、画像ファイルを無線通信により外部装置５１に送信し、記録させるようにしてもよい。また、通信部３９は、CPU３１の制御により、外部装置５１から図示せぬUSBなどを介して画像ファイルを取得し、記録再生制御部２２に供給する。さらに、通信部３９は、CPU３１の制御により、外部装置５１からメタ情報とフォルダ情報を読み出し、CPU３１に供給する。
【００５２】
操作入力部４１は、ユーザが撮影（撮像）、画像ファイルの取得、画像ファイルの再生などを指令するための操作ボタン、グループを指定するための入力ボタンなどから構成される。操作入力部４１は、ユーザからの指令を受け付け、その指令を操作入力部I/F３５に供給する。また、操作入力部４１は、ユーザからのグループの指定を受け付け、そのグループを表すグループ情報を操作入力部I/F３５に供給する。
【００５３】
出力部４２は、例えば、ディスプレイ（パネル）などにより構成され、出力制御部３６から供給される画像データに対応する画像または画面情報に対応する画面を表示する。
【００５４】
メモリカード４３には、画像ファイルがフォルダ単位で記録されている。また、メモリカード４３には、その画像ファイルのメタ情報と、フォルダ情報が記録されている。
【００５５】
さらに、メモリカード４３は、メモリカードI/F３７から供給される画像ファイルをフォルダ単位で記録する。また、メモリカード４３は、フォルダ単位で記録している画像ファイル、メタ情報、およびフォルダ情報を、メモリカードI/F３７に供給する。
【００５６】
外部装置５１は、例えばパーソナルコンピュータにより構成される。外部装置５１には、画像ファイルがフォルダ単位で記録されている。また、外部装置５１には、その画像ファイルのメタ情報と、フォルダ情報が記録されている。さらに、外部装置５１は、通信部３９から供給される画像ファイルをフォルダ単位で記録する。また、外部装置５１は、フォルダ単位で記録している画像ファイル、メタ情報、およびフォルダ情報を、通信部３９に供給する。
【００５７】
図２は、図１のデジタルスチルカメラ１の機能的構成例を示すブロック図である。
【００５８】
図２のデジタルスチルカメラ１は、取得部７１、撮影部７２、画像管理部７３、記録制御部７４、記録部７５、再生部７６、表示制御部７７、表示部７８、および入力部７９から構成される。
【００５９】
取得部７１は、入力部７９から供給される、ユーザからの画像ファイルの取得の指令に応じて、メモリカード４３または外部装置５１から画像ファイルとメタ情報を取得する。また、取得部７１は、画像ファイルの取得元を表す取得元情報を生成する。そして、取得部７１は、画像ファイル、メタ情報、および取得元情報を、画像管理部７３に供給する。
【００６０】
なお、取得元情報は、取得元が特定可能な情報であれば良く、以下では、取得元の種類（例えば、メモリカード４３、外部装置５１など）を表すものとするが、取得元情報は、メモリカード４３と外部装置５１に付された固有のＩＤを表すようにしてもよい。また、メモリカード４３が複数着脱可能な場合は、メモリカード４３の種類を示す情報を取得元情報としてもよい。
【００６１】
また、取得部７１は、メモリカード４３または外部装置５１からフォルダ情報を取得し、表示制御部７７に供給する。
【００６２】
撮影部７２は、入力部７９から供給される、ユーザからの撮影の指令に応じて、被写体を撮影し、その結果得られる画像ファイルを、画像管理部７３に供給する。
【００６３】
画像管理部７３は、取得部７１または撮影部７２から供給される画像ファイルに基づいて、その画像ファイルに対応する画像のサムネイル画像のファイル(サムネイル画像ファイル)を作成し、表示制御部７７に供給する。また、画像管理部７３は、取得部７１から供給されるメタ情報または入力部７９からの入力情報に基づいて、画像ファイルのメタ情報のファイル(メタデータファイル)を作成する。
【００６４】
さらに、画像管理部７３は、入力部７９から供給される、ユーザからの画像ファイルの記録の指令に応じて、取得部７１または撮影部７２から供給される、記録対象とする画像ファイルを記録させる記録部７５上のアドレス（以下、記録アドレスという）を決定する。
【００６５】
また、画像管理部７３には、時計回路３８から日時情報が供給され、画像管理部７３は、その日時情報に基づいて、サムネイル画像ファイル、メタデータファイル、および記録アドレスを含むＡＶファイルを作成し、記録制御部７４を制御して、そのＡＶファイルを記録部７５に記録（更新）させることにより、画像ファイルを取得日ごとのグループに分類する。
【００６６】
さらに、画像管理部７３は、取得部７１からの取得元情報に基づいて、サムネイル画像ファイル、メタデータファイル、および記録アドレスを含むＡＶファイルを作成し、記録制御部７４を制御して、そのＡＶファイルを記録部７５に記録（更新）させることにより、画像ファイルを取得元ごとのグループに分類する。
【００６７】
また、画像管理部７３は、入力部７９から供給されるグループ情報に基づいて、ＡＶファイルを作成し、記録制御部７４を介して、そのＡＶファイルを記録部７５に記録（更新）させることにより、撮影部７２から供給される画像ファイルを、そのグループ情報が表すグループに分類する。さらに、画像管理部７３は、入力部７９から供給されるグループ情報に基づいて、記録部７５に記録されているＡＶファイルを更新することにより、撮影部７２から供給された画像ファイルが分類されるグループを変更する。
【００６８】
また、画像管理部７３は、記録制御部７４を制御して、記録対象とする画像ファイルを、記録部７５の記録アドレスに記録させる。
【００６９】
記録制御部７４は、画像管理部７３からのＡＶファイルを、記録部７５に記録させる。また、記録制御部７４は、画像管理部７３から供給される記録対象である画像ファイルを、画像管理部７３により決定された記録アドレスに記録させる。このとき、記録制御部７４は、すべての記録対象を記録するために必要な時間を表示制御部７７に供給する。記録部７５は、ＡＶファイルと画像ファイルを記録する。
【００７０】
再生部７６は、入力部７９から供給される再生の指令に応じて、記録部７５からＡＶファイルを再生する。また、再生部７６は、記録部７５からすべての画像ファイルまたはサムネイル画像ファイルを再生可能であり、その画像ファイルまたはサムネイル画像ファイルを、ＡＶファイルとともに表示制御部７７に供給する。
【００７１】
また、再生部７６は、入力部７９から供給される、所定のグループの画像ファイルの再生の指令に応じて、記録部７５からＡＶファイルを再生する。また、再生部７６は、ＡＶファイルに基づいて、所定のグループに分類されている画像ファイル、または、その画像ファイルに対応するサムネイル画像ファイルを、記録部７５から再生し、表示制御部７７に供給する。
【００７２】
表示制御部７７は、表示部７８を制御し、再生部７６から供給されるＡＶファイルに基づいて、再生部７６から供給される、記録部７５に記録されているすべての画像ファイルに対応する画像、またはサムネイル画像ファイルに対応するサムネイル画像を、その画像ファイルが分類されているグループごとに表示部７８に表示させる。
【００７３】
また、表示制御部７７は、表示部７８を制御し、再生部７６から供給される所定のグループに分類されている画像ファイルに対応する画像、またはサムネイル画像ファイルに対応するサムネイル画像を、表示部７８に表示させる。また、表示制御部７７は、入力部７９から供給される各種の画面の表示の指令に応じて、画面情報を作成する。なお、表示制御部７７は、必要に応じて、取得部７１からのフォルダ情報または記録制御部７４からのすべての記録対象を記録するために必要な時間を用い、画面情報を作成する。
【００７４】
表示制御部７７は、その画面情報に基づいて、各種の画面を表示部７８に表示させる。さらに、表示制御部７７は、画像管理部７３からのサムネイル画像ファイルに基づいて、表示部７８にサムネイル画像を表示させる。
【００７５】
表示部７８は、表示制御部７７の制御により、画像、フォルダ情報、各種の画面、またはサムネイル画像を表示する。
【００７６】
入力部７９は、ユーザからの画像ファイルの取得の指令を受け付け、その指令を取得部７１に供給する。また、入力部７９は、ユーザからの撮影の指令を受け付け、その指令を撮影部７２に供給する。さらに、入力部７９は、ユーザからのグループの指定を受け付け、そのグループを表すグループ情報を、画像管理部７３に供給する。また、入力部７９は、ユーザからの記録の指令を受け付け、その指令を画像管理部７３に供給する。
【００７７】
さらに、入力部７９は、ユーザからの画像ファイルのグループごとの再生、または所定のグループの画像ファイルの再生の指令を受け付け、その指令を再生部７６に供給する。また、入力部７９は、ユーザからの各種の画面の表示の指令を受け付け、その指令を表示制御部７７に供給する。
【００７８】
図３は、図２の記録部７５に記録されるＡＶファイルのフォルダ構造を示している。
【００７９】
図３において、ＡＶファイルルートフォルダ（ROOT）１０１には、オリジナルルートフォルダ１０２（Original Root）とユーザ設定ルートフォルダ１０３（Favorite Root）が設けられている。
【００８０】
オリジナルルートフォルダ１０２の下位のフォルダには、画像ファイルを取得した取得日（撮影日）ごとに分類された各画像ファイルを管理する管理ファイルが配置される。
【００８１】
オリジナルルートフォルダ１０２には、グループフォルダ１０４−１と１０４−２が設けられている。グループフォルダ１０４−１には、例えば、２００５年４月1日に取得された画像ファイルを管理する管理ファイルが配置され、グループフォルダ１０４−２には、例えば、２００５年４月５日に取得された画像ファイルを管理する管理ファイルが配置される。
【００８２】
即ち、図３のグループフォルダ１０４−１には、２００５年４月１日に撮影された結果得られる、ユーザによりグループＣが指定された画像ファイルを管理する管理ファイル１０６−１と、２００５年４月１日にメモリカード４３から取得された画像ファイルを管理する管理ファイル１０６−２とが設けられている。
【００８３】
管理ファイル１０６−１には、自分自身が管理する画像ファイルに対応するサムネイル画像ファイル１０７−１と、その画像ファイルの名前（例えば、「食べ物」、「ネコ」など）などを含むメタデータファイル１０８−１が対応付けられている。また、管理ファイル１０６−２には、自分自身が管理する画像ファイルに対応するサムネイル画像ファイル１０７−２が対応付けられている。
【００８４】
グループフォルダ１０４−２には、２００５年４月５日に外部装置５１から取得された画像ファイルを管理する管理ファイル１０６−３が設けられている。管理ファイル１０６−３には、自分自身が管理する画像ファイルに対応するサムネイル画像ファイル１０７−３とメタデータファイル１０８−３が対応付けられている。
【００８５】
一方、ユーザ設定ルートフォルダ１０３の下位のフォルダには、取得元情報またはグループ情報に基づいて分類された各画像ファイルの管理ファイルが配置される。
【００８６】
ユーザ設定ルートフォルダ１０３には、グループフォルダ１０５−１乃至１０５−５が設けられている。グループフォルダ１０５−１には、取得元がメモリカード４３である画像ファイルを管理する管理ファイルが設けられ、グループフォルダ１０５−２には、取得元が外部装置５１である画像ファイルを管理する管理ファイルが設けられる。
【００８７】
また、グループフォルダ１０５−３には、ユーザからグループＡに指定された画像ファイルを管理する管理ファイルが、グループフォルダ１０５−４には、ユーザからグループＢに指定された画像ファイルを管理する管理ファイルが、グループフォルダ１０５−５には、ユーザからグループＣに指定された画像ファイルを管理する管理ファイルが、それぞれ設けられる。
【００８８】
即ち、図３のグループフォルダ１０５−１には、２００５年４月５日にメモリカード４３から取得された画像ファイルを管理する管理ファイル１０６−３が設けられている。また、グループフォルダ１０５−２には、２００５年４月１日に外部装置５１から取得された画像ファイルを管理する管理ファイル１０６−２が設けられている。さらに、グループフォルダ１０５−４には、２００５年４月１日に撮影された結果得られる、ユーザによりグループＢに指定された画像ファイルを管理する管理ファイル１０６−１が設けられている。
【００８９】
なお、図３のＡＶファイルルートフォルダ１０１、オリジナルルートフォルダ１０２、ユーザ設定ルートフォルダ１０３、グループフォルダ１０４−１と１０４−２、グループフォルダ１０５−１乃至１０５−５、並びに管理ファイル１０６−１乃至１０６−３の中に記載されている＃ｉの番号ｉは、それぞれに対応するＡＶファイルのプロパティファイル１１１（後述する図４）のエントリ１２１−１乃至１２１−２４のＩＤを表す。
【００９０】
また、以下では、グループフォルダ１０４−１と１０４−２を区別する必要がない場合、それらをまとめてグループフォルダ１０４といい、グループフォルダ１０５−１乃至１０５−５を区別する必要がない場合、それらをまとめてグループフォルダ１０５という。さらに、管理ファイル１０６−１乃至１０６−３を区別する必要がない場合、それらをまとめて管理ファイル１０６という。
【００９１】
また、以下では、サムネイル画像ファイル１０７−１乃至１０７−３を区別する必要がない場合、それらをまとめてサムネイル画像ファイル１０７といい、メタデータファイル１０８−１と１０８−３を区別する必要がない場合、それらをまとめてメタデータファイル１０８という。
【００９２】
図４は、図３のフォルダ構造を有するＡＶファイルのデータの構成例を示している。
【００９３】
図４のＡＶファイルは、プロパティファイル１１１、サムネイル画像ファイル１０７−１乃至１０７−３、並びにメタデータファイル１０８−１と１０８−３から構成される。
【００９４】
プロパティファイル１１１は、ヘッダ１２１−０と複数のエントリ１２１−１乃至１２１−２４から構成される。ヘッダ１２１−０には、プロパティファイル１１１のサイズなどの情報が記憶される。また、エントリ１２１−１乃至１２１−２４は、データ量に応じた数の固定長（例えば、１２８バイト）のスロットから構成される。エントリ１２１−１乃至１２１−２４には、それぞれに固有のＩＤが付加されている。
【００９５】
なお、図４では、エントリ１２１−１乃至１２１−２４の中に、エントリ１２１−１乃至１２１−２４に付加されたＩＤである番号ｉを＃ｉとして記述している。即ち、エントリ１２１−１乃至１２１−２４には、１乃至２４の番号が順に、ＩＤとして付加されている。
【００９６】
エントリ１２１−１乃至１２１−２４には、ＡＶファイルのフォルダ構造を表す構造情報、画像ファイルの記録アドレス、画像ファイルに対応するサムネイル画像ファイル１０７とメタデータファイル１０８を管理する付属情報（例えば、アドレスなど）などが記録される。
【００９７】
図４において、エントリ１２１−１は、ＡＶファイルルートフォルダ１０１に対応しているので、構造情報として、何にも属さないことを表す情報が記録されている。また、エントリ１２１−２はオリジナルルートフォルダ１０２に、エントリ１２１−３はユーザ設定ルートフォルダ１０３に、それぞれ対応しているので、エントリ１２１−２と１２１−３には、構造情報として、エントリ１２１−１に属することを表す情報が、それぞれ記録される。
【００９８】
また、エントリ１２１−４乃至１２１−８は、グループフォルダ１０５−１乃至１０５−５に対応しているので、エントリ１２１−４乃至１２１−８には、構造情報として、エントリ１２１−３に属することを表す情報が記録される。エントリ１２１−２０はグループフォルダ１０４−１に、エントリ１２１−２３はグループフォルダ１０４−２に、それぞれ対応しているので、エントリ１２１−２０と１２１−２３には、構造情報として、エントリ１２１−２に属することを表す情報が記録される。
【００９９】
さらに、エントリ１２１−２１は、管理ファイル１０６−１に対応しているので、エントリ１２１−２１には、構造情報として、エントリ１２１−７とエントリ１２１−２０に属することを表す情報が記録される。また、エントリ１２１−２１には、付属情報として、サムネイル画像ファイル１０７−１とメタデータファイル１０８−１を管理する情報が記録される。
【０１００】
エントリ１２１−２２は、管理ファイル１０６−２に対応しているので、エントリ１２１−２２には、構造情報として、エントリ１２１−５とエントリ１２１−２０に属することを表す情報が記録される。また、エントリ１２１−２２には、付属情報として、サムネイル画像ファイル１０７−２を管理する情報が記録される。
【０１０１】
また、エントリ１２１−２４は、管理ファイル１０６−３に対応しているので、エントリ１２１−２４には、構造情報として、エントリ１２１−２３に属することを表す情報が記録される。さらに、エントリ１２１−２４には、付属情報として、サムネイル画像ファイル１０７−３とメタデータファイル１０８−３を管理する情報が記録される。
【０１０２】
次に、図５乃至図１３を参照して、ユーザが、メモリカード４３または外部装置５１から画像ファイルの取得を指令したときに、表示部７８に表示される画面の例について説明する。
【０１０３】
まず最初に、図５乃至図１１を参照して、ユーザにより、表示モードが、サムネイル画像を格子状に表示するインデックス表示モードに設定されている場合の表示画面について説明する。
【０１０４】
ユーザが操作入力部４１を操作して、図示せぬメニュー画面から、画像ファイルを取得するためのメニューを選択することにより、画像ファイルの取得を指令し、その後画像ファイルの取得元を指定したとき、表示部７８には、図５に示す画面が表示される。
【０１０５】
図５の画面では、ユーザにより指定された取得元にフォルダ単位で記録されている画像ファイルのうち、所定のフォルダ内の９個の画像ファイルに対応するサムネイル画像が、３×３（縦の枚数×横の枚数）の格子状に表示される。
【０１０６】
ここで、ユーザが操作入力部４１を操作し、取得メニュー画面１３０の表示を指令すると、表示部７８に表示される画面は、図５に示す画面から、図６に示す画面に変更される。図６の画面では、図５に示した画面の下部に、取得メニュー画面１３０が表示される。取得メニュー画面１３０は、キャンセルボタン１３１、フォルダ移動ボタン１３２、選択ボタン１３３、およびフォルダ内全てボタン１３４から構成される。
【０１０７】
キャンセルボタン１３１は、画像ファイルの取得をキャンセルするときに選択される。フォルダ移動ボタン１３２は、いまの取得対象である画像ファイルのフォルダと異なるフォルダ内の画像ファイルを取得するときに選択される。選択ボタン１３３は、記録対象とする画像ファイルを選択するときに選択される。フォルダ内全てボタン１３４は、いまの取得対象である所定のフォルダ内のすべての画像ファイルを記録するときに操作される。
【０１０８】
ユーザが操作入力部４１を操作し、選択ボタン１３３を選択した場合、表示部７８に表示される画面は、図６に示す画面から、図７に示す画面に変更される。図７の画面では、取得メニュー画面１３０が削除され、サムネイル画像を選択するためのカーソル１５１が表示される。
【０１０９】
ユーザは、操作入力部４１を操作して、所望のサムネイル画像にカーソル１５１を移動させ、決定の指令を行うことにより、そのサムネイル画像に対応する画像ファイルを、記録対象として選択する。このとき、ユーザにより選択されたサムネイル画像がチェックされる。図７の画面では、左中央（中央の左側）、中央、中央下（中央の下側）の３つのサムネイル画像がチェックされている。
【０１１０】
ユーザが、記録対象を選択した後、操作入力部４１を操作し、その記録対象を記録するかどうかを確認するための確認画面１７０の表示を指令すると、表示部７８に表示される画面は、図７に示す画面から、図８に示す画面に変更される。図８に示す画面では、確認画面１７０が表示される。確認画面１７０は、キャンセルボタン１７１と実行ボタン１７２から構成される。
【０１１１】
キャンセルボタン１７１は、ユーザにより選択された記録対象の記録をキャンセル（中止）するときに選択される。実行ボタン１７２は、ユーザにより選択された記録対象の記録を実行するときに選択される。
【０１１２】
ユーザが、操作入力部４１を操作して、実行ボタン１７２を選択する場合、表示部７８に表示される画面は、図８に示す画面から、図９に示す画面に変更される。図９に示す画面では、「import中」という文字と、すべての記録対象を記録するために必要な時間に対する、記録を開始してからの時間の割合を表すゲージ１９１とが表示される。そして、すべての記録対象が記録されると、表示部７８に表示される画面は、図９に示す画面から、最初のメニュー画面（図示せず）に変更される。
【０１１３】
また、図６の画面において、フォルダ内全てボタン１３４が選択される場合、表示部７８に表示される画面は、図６に示す画面から、図１０に示す画面に変更される。図１０に示す画面では、取得メニュー画面１３０の代わりに、確認画面２１０が表示される。確認画面２１０は、キャンセルボタン２１１と実行ボタン２１２から構成される。
【０１１４】
キャンセルボタン２１１は、いまの取得対象である所定のフォルダ内のすべての画像ファイルの記録をキャンセルするときに選択される。実行ボタン２１２は、いまの取得対象である所定のフォルダ内のすべての画像ファイルの記録を実行するときに選択される。
【０１１５】
ユーザが、操作入力部４１を操作して、実行ボタン２１２を選択する場合、表示部７８に表示される画面は、図１０に示す画面から、図９に示した画面に変更される。
【０１１６】
さらに、図６の表示画面において、「フォルダ移動」ボタン１３２が選択される場合、表示部７８に表示される画面は、図６に示す画面から、図１１に示すフォルダ選択画面に変更される。図１１のフォルダ選択画面には、フォルダ選択部２３１、実行ボタン２３２、およびキャンセルボタン２３３が表示される。
【０１１７】
フォルダ選択部２３１は、矢印２３１Ａと矢印２３１Ｂ、並びにフォルダ情報表示部２３１Ｃから構成される。矢印２３１Ａと矢印２３１Ｂは、フォルダ情報表示部２３１Ｃに表示されるフォルダ情報に対応するフォルダを変更するときに操作される。フォルダ情報表示部２３１Ｃは、取得元に記録されているフォルダのうちの１つのフォルダのフォルダ情報を表示する。
【０１１８】
実行ボタン２３２は、フォルダ情報表示部２３１Ｃに表示されているフォルダ情報に対応するフォルダ内の画像ファイルの取得を実行するときに選択される。キャンセルボタン２３３は、フォルダ情報表示部２３１Ｃに表示されているフォルダ情報に対応するフォルダ内の画像ファイルの取得をキャンセルするときに選択される。
【０１１９】
ユーザは、矢印２３１Ａまたは矢印２３１Ｂを操作し、フォルダ情報表示部２３１Ｃに所望のフォルダのフォルダ情報を表示させ、実行ボタン２３２を選択する。このとき、表示部７８に表示される画面は、図１１に示す画面から、そのフォルダ情報に対応するフォルダ内の画像ファイルに対応するサムネイル画像が３×３で表示される、図５に示した画面と同様の画面が表示される。
【０１２０】
一方、ユーザが、図６のキャンセルボタン１３１、図８のキャンセルボタン１７１、図１０のキャンセルボタン２１１、または図１１のキャンセルボタン２３３を選択する場合、表示部７８には、図５に示した画面が表示される。
【０１２１】
次に、図１２と図１３を参照して、ユーザにより、表示モードが、１つの画像ファイルに対応する画像を表示するシングル表示モードに設定されている場合の表示画面について説明する。
【０１２２】
ユーザが操作入力部４１を操作して、図示せぬメニュー画面から、画像ファイルを取得するためのメニューを選択することにより、画像ファイルの取得を指令し、その後画像ファイルの取得元を指定したとき、表示部７８には、図１２に示す画面が表示される。図１２の画面では、取得元にフォルダ単位で記録されている画像ファイルのうち、所定のフォルダ内の所定の画像ファイルに対応する画像が表示される。
【０１２３】
ここで、ユーザが操作入力部４１を操作し、取得メニュー画面２５０の表示を指令すると、表示部７８に表示される画面は、図１２に示す画面から、図１３に示す画面に変更される。図１３の画面では、図１２に示した画面の下部に、取得メニュー画面２５０が表示される。取得メニュー画面２５０は、キャンセルボタン２５１と実行ボタン２５２から構成される。
【０１２４】
キャンセルボタン２５１は、いまの取得対象である画像ファイル（いま表示されている画像に対応する画像ファイル）の記録をキャンセルするときに選択される。実行ボタン２５２は、いまの取得対象である画像ファイルの記録を実行するときに選択される。ユーザが操作入力部４１を操作し、実行ボタン２５２を選択する場合、表示部７８に表示される画面は、図１３に示す画面から、図９に示した画面に変更される。
【０１２５】
一方、ユーザがキャンセルボタン２５１を選択する場合、表示部７８に表示される画面は、図１３に示す画面から、図１２に示した画面に変更される。
【０１２６】
次に、図１４乃至図１７を参照して、記録部７５に記録されている画像ファイルをグループごとに再生して表示部７８に表示させるときに、表示部７８に表示される画面について説明する。
【０１２７】
図１４と図１５は、取得元ごとのグループに分類された画像ファイルに対応する画像を表示させる場合の画面の例を示している。
【０１２８】
図１４では、表示モードがシングル表示モードであり、図１５では、表示モードがインデックス表示モードである。また、図１４と図１５では、ユーザにより、取得元がメモリカード４３であるグループの画像ファイルに対応する画像の表示が指令されている。
【０１２９】
図１４に示すように、表示モードがシングル表示モードである場合、取得元がメモリカード４３である画像ファイルを管理する管理ファイル１０６が配置されるグループフォルダ１０５−１（図３）内の所定の管理ファイル１０６に対応する画像ファイルに基づいて、表示部７８に画像が表示される。そして、画像の右上部には、取得元であるメモリカード４３を表すアイコン２７１が表示される。
【０１３０】
また、図１５に示すように、表示モードがインデックス表示モードである場合、グループフォルダ１０５−１内の管理ファイル１０６に対応する８個のサムネイル画像ファイル１０７に基づいて、８個のサムネイル画像が、３×３の格子状に表示される。そして、８個のサムネイル画像の右下部には、取得元であるメモリカード４３を表すアイコン２８１が表示される。
【０１３１】
図１６と図１７は、ユーザにより指定されたグループに分類された画像ファイルに対応する画像を表示させる場合の画面の例を示している。
【０１３２】
図１６では、表示モードがシングル表示モードであり、図１７では、表示モードがインデックス表示モードである。また、図１６と図１７では、ユーザにより、グループＢの画像ファイルに対応する画像の表示が指令されている。
【０１３３】
図１６に示すように、表示モードがシングル表示モードである場合、ユーザによりグループＢに指定された画像ファイルの管理ファイル１０６が配置されるグループフォルダ１０５−４（図３）内の所定の管理ファイル１０６−１に対応する画像ファイルに基づいて、画像が表示される。そして、画像の右上部には、その画像の画像ファイルが分類されているグループを表すグループ表示部２９１が設けられ、グループ表示部２９１には、グループＢを表す「Ｇ０Ｂ」という文字が表示される。
【０１３４】
また、図１７に示すように、表示モードがインデックス表示モードである場合、グループフォルダ１０５−４内の８個の管理ファイル１０６に対応するサムネイル画像ファイル１０７に基づいて、８個のサムネイル画像が、３×３の格子状に表示される。そして、サムネイル画像の右下部には、そのサムネイル画像に対応する画像ファイルが分類されているグループを表すグループ表示部２９２が設けられ、グループ表示部２９２には、グループＢを表す「Ｇ０Ｂ」という文字が表示される。
【０１３５】
次に、図１８と図１９を参照して、表示モードがインデックス表示モードである場合に、図１のデジタルスチルカメラ１がメモリカード４３または外部装置５１から画像ファイルを取得するインデックス取得処理を説明する。このインデックス取得処理は、例えば、ユーザが操作入力部４１を操作することにより、画像ファイルの取得を指令したとき開始される。
【０１３６】
ステップＳ１１において、入力部７９は、ユーザにより取得元が選択されたかどうか、即ちユーザからの取得元の選択の操作を受け付けたかどうかを判定し、取得元が選択されていないと判定された場合、取得元が選択されるまで待機する。
【０１３７】
ステップＳ１１において、ユーザにより取得元が選択されたと判定された場合、ステップＳ１２に進み、取得部７１は、ユーザにより選択された取得元から、所定のフォルダ内のすべての画像ファイルとメタ情報を読み出す（取得する）。そして、取得部７１は、そのメタ情報からメタデータファイル１０８を作成し、画像ファイルとメタ情報、並びに取得元情報を画像管理部７３に供給する。
【０１３８】
ステップＳ１２の処理後は、ステップＳ１３に進み、画像管理部７３は、ステップＳ１２で供給される画像ファイルに対応するサムネイル画像ファイル１０７を作成し、表示制御部７７に供給して、ステップＳ１４に進む。
【０１３９】
ステップＳ１４において、表示制御部７７は、ステップＳ１３で供給されたサムネイル画像ファイルに対応するサムネイル画像のインデックス表示を行う。即ち、表示制御部７７は、図５に示したように、サムネイル画像を３×３の格子状に表示部７８に表示させる。
【０１４０】
ステップＳ１４の処理後は、ステップＳ１５に進み、入力部７９は、ユーザによりサブメニュー画面１３０の表示が指令されたかどうかを判定し、サブメニュー画面１３０の表示が指令されていないと判定した場合、サブメニュー画面１３０の表示が指令されるまで待機する。
【０１４１】
一方、ステップＳ１５において、サブメニュー画面１３０の表示が指令された場合、図１９のステップＳ１６に進み、表示制御部７７は、サブメニュー画面１３０を表示させるための画面情報を作成し、その画面情報に基づいて、図６に示したように、サブメニュー画面１３０を表示部７８に表示させる。
【０１４２】
ステップＳ１６の処理後は、ステップＳ１７に進み、入力部７９は、ユーザによりサブメニュー画面１３０を構成するボタンであるキャンセルボタン１３１、フォルダ移動ボタン１３２、選択ボタン１３３、またはフォルダ内全てボタン１３４のいずれか１つが選択されたかどうかを判定し、サブメニュー画面１３０を構成するボタンがいずれも選択されていないと判定した場合、いずれか１つのボタンが選択されるまで待機する。
【０１４３】
ステップＳ１７において、サブメニュー画面１３０を構成するフォルダ移動ボタン１３２が選択された場合、ステップＳ１８に進み、取得部７１は、取得元からフォルダ情報を取得し、表示制御部７７に供給する。
【０１４４】
ステップＳ１８の処理後は、ステップＳ１９に進み、表示制御部７７は、ステップＳ１８で供給されるフォルダ情報に基づいて、図１１のフォルダ選択画面を表示させるための画面情報を作成し、その画面情報に基づいて、表示部７８に図１１のフォルダ選択画面を表示させる。
【０１４５】
ステップＳ１９の処理後は、ステップＳ２０に進み、入力部７９は、図１１のフォルダ選択画面の実行ボタン２３２またはキャンセルボタン２３３のいずれかが選択されたかどうかを判定し、実行ボタン２３２とキャンセルボタン２３３のいずれも選択されていない場合、実行ボタン２３２またはキャンセルボタン２３３のいずれかが選択されるまで待機する。
【０１４６】
一方、ステップＳ２０において、ユーザにより実行ボタン２３２が選択されたと判定された場合、図１８のステップＳ１２に戻り、取得部７１は、図１１のフォルダ選択部２３１Ｃに表示されているフォルダ情報に対応するフォルダ内のすべての画像ファイルとメタ情報を読み出し、ステップＳ１３に進み、上述した処理が繰り返される。
【０１４７】
ステップＳ２０において、ユーザによりキャンセルボタン２３３が選択されたと判定された場合、ステップＳ２１に進み、表示制御部７７は、図１１のフォルダ選択画面の表示を停止させる。そして、表示制御部７７は、画像管理部７３から供給されるサムネイル画像ファイルに基づいて、図５に示した画面を表示させ、図１８のステップＳ１５に戻る。
【０１４８】
また、ステップＳ１７において、ユーザにより選択ボタン１３３が選択されたと判定された場合、表示制御部７７は、図７に示した画面を表示させるための画面情報を作成し、その画面情報に基づいて、図７に示した画面を表示部７８に表示させ、ステップＳ２２に進む。
【０１４９】
ステップＳ２２において、入力部７９は、ユーザにより記録対象が選択されたかどうか、即ちユーザがカーソル１５１を所望のサムネイル画像に移動させて決定の指令を行い、確認画面１７２の表示を指令したかどうかを判定し、記録対象が選択されていないと判定した場合、記録対象が選択されるまで待機する。
【０１５０】
一方、ステップＳ２２において、ユーザにより記録対象が選択されたと判定された場合、ステップＳ２３に進み、表示制御部７７は、図８の確認画面１７２を表示させるための画面情報を作成し、その画面情報に基づいて、図８に示した画面を表示部７８に表示させる。
【０１５１】
また、ステップＳ１７において、フォルダ内全てボタン１３４が選択されたと判定された場合、記録対象が、いまの取得対象である所定のフォルダ内のすべての画像ファイルとされ、ステップＳ２３に進む。
【０１５２】
ステップＳ２３において、表示制御部７７は、図１０の確認画面２１０を表示させるための画面情報を作成し、その画面情報に基づいて、表示部７８に、図１０に示した画面を表示させる。
【０１５３】
ステップＳ２３の処理後は、ステップＳ２４に進み、入力部７９は、実行ボタン１７２（２１２）またはキャンセルボタン１７１（２１１）のいずれかが選択されたかどうかを判定し、実行ボタン１７２（２１２）とキャンセルボタン１７１（２１１）のいずれも選択されていない場合、実行ボタン１７２（２１２）またはキャンセルボタン１７１（２１１）のいずれかが選択されるまで待機する。
【０１５４】
一方、ステップＳ２４において、ユーザにより実行ボタン１７２（２１２）が選択されたと判定された場合、ステップＳ２５に進み、画像管理部７３は、時計回路３８から供給される日時情報とステップＳ１２で供給される取得元情報に基づいて、ＡＶファイルを更新（作成）することにより、記録対象である画像ファイルを分類する。
【０１５５】
具体的には、画像管理部７３は、日時情報に基づいて、その日時情報が表す取得日に対応するグループフォルダ１０４に、記録対象である画像ファイルに対応する管理ファイル１０６を作成する。また、画像管理部７３は、取得元情報に基づいて、その取得元情報が表す取得元に対応するグループフォルダ１０５に、記録対象である画像ファイルに対応する管理ファイル１０３を作成する。そして、画像管理部７３は、記録制御部７４を介して、ステップＳ１２で作成されたメタデータファイル１０８と、ステップＳ１３で作成されたサムネイル画像ファイル１０７とを、記録部７５に記録させる。また、画像管理部７３は、記録対象である画像ファイルを、記録制御部７４に供給する。
【０１５６】
ステップ２５の処理後は、ステップＳ２６に進み、記録制御部７４は、画像管理部７３から供給される画像ファイルを、記録部７５に記録させる。このとき、記録制御部７４は、すべての記録対象を記録するために必要な時間を表示制御部７７に供給する。表示制御部７７は、図示せぬタイマにより、記録制御部７４が記録を開始してからの時間を計時させ、その時間の、すべての記録対象を記録するために必要な時間に対する割合に応じて、図９のゲージ１９１を表示部７８に表示させる。そして、表示制御部７７は、タイマがすべての記録対象を記録するために必要な時間をカウントした場合、即ち記録制御部７４がすべての記録対象を記録させた場合、表示部７８にメニュー画面を表示させ、処理は終了する。
【０１５７】
一方、ステップＳ２４において、ユーザによりキャンセルボタン１７１（２１１）が選択されたと判定された場合、ステップＳ２７に進み、表示制御部７７は、確認画面１７０または２１０の表示を停止させる。即ち、表示部７８には、図５に示した画面が表示される。そして、図１８のステップＳ１５に戻り、上述した処理が繰り返される。
【０１５８】
ステップＳ１７において、ユーザによりキャンセルボタン１３１が選択されたと判定された場合、ステップＳ２８に進み、表示制御部７７は、サブメニュー画面１３０の表示を停止させる。即ち、表示部７８には、図５に示した画面が表示される。そして、図１８のステップＳ１５に戻り、上述した処理が繰り返される。
【０１５９】
次に、図２０を参照して、表示モードがシングル表示モードである場合に、図１のデジタルスチルカメラ１がメモリカード４３または外部装置５１から画像ファイルを取得するシングル取得処理を説明する。このシングル取得処理は、例えば、ユーザが操作入力部４１を操作することにより、画像ファイルの取得を指令したとき開始される。
【０１６０】
ステップＳ５１において、入力部７９は、ユーザにより取得元が選択されたかどうかを判定し、取得元が選択されていないと判定された場合、取得元が選択されるまで待機する。
【０１６１】
一方、ステップＳ５１において、ユーザにより取得元が選択されたと判定された場合、ステップＳ５２に進み、取得部７１は、ユーザにより選択された取得元から、所定のフォルダ内の所定の画像ファイルとメタ情報を読み出す。そして、取得部７１は、そのメタ情報からメタデータファイル１０８を作成し、画像ファイルとメタ情報、並びに取得元情報を画像管理部７３に供給する。
【０１６２】
ステップＳ５３において、表示制御部７７は、ステップＳ５２で供給された画像ファイルに対応する画像のシングル表示を行う。即ち、表示制御部７７は、図１２に示したように、１つの画像ファイルに対応する画像を表示部７８に表示させる。
【０１６３】
ステップＳ５３の処理後は、ステップＳ５４に進み、入力部７９は、ユーザにより確認画面２５０の表示が指令されたかどうかを判定し、確認画面２５０の表示が指令されていないと判定した場合、確認画面２５０の表示が指令されるまで待機する。
【０１６４】
一方、ステップＳ５４において、確認画面２５０の表示が指令された場合、ステップＳ５５に進み、表示制御部７７は、図１３に示したように、確認画面２５０を表示部７８に表示させる。
【０１６５】
ステップＳ５５の処理後は、ステップＳ５６に進み、入力部７９は、ユーザにより確認画面２５０の実行ボタン２５２が選択されたかどうかを判定し、確認画面２５０の実行ボタン２５２が選択されたと判定した場合、いまの取得対象である画像ファイルを記録対象として、ステップＳ５７に進む。
【０１６６】
ステップＳ５７において、画像管理部７３は、ステップＳ５２で供給される画像ファイルに対応するサムネイル画像ファイルを作成し、表示制御部７７に供給して、ステップＳ５８に進む。
【０１６７】
ステップＳ５８において、画像管理部７３は、時計回路３８から供給される日時情報とステップＳ５２で供給される取得元情報に基づいて、ＡＶファイルを更新（作成）し、ステップＳ５９に進む。
【０１６８】
ステップＳ５８の処理後は、ステップＳ５９に進み、記録制御部７４は、画像管理部７３から供給される記録対象である画像ファイルを、記録部７５に記録させる。このとき、表示制御部７７は、図９に示したように、ゲージ１９１を表示部７８に表示させる。そして、記録制御部７４が記録対象を記録させた場合、表示制御部７７は、表示部７８にメニュー画面を表示させ、処理は終了する。
【０１６９】
一方、ステップＳ５６において、ユーザにより実行ボタン２５２が選択されていないと判定された場合、ステップＳ６０に進み、入力部７９は、ユーザによりキャンセルボタン２５１が選択されたかどうかを判定する。
【０１７０】
ステップＳ６０において、ユーザによりキャンセルボタン２５１が選択されていないと判定された場合、即ちユーザにより実行ボタン２５２またはキャンセルボタン２５１のいずれも選択されていない場合、ステップＳ５６に戻り、実行ボタン２５２またはキャンセルボタン２５１のいずれか１つが選択されるまで、上述した処理を繰り返す。
【０１７１】
また、ステップＳ６０において、ユーザによりキャンセルボタン２５１が選択されたと判定された場合、ステップＳ６１に進み、表示制御部７７は、確認画面２５０の表示を停止させる。即ち、表示部７８には、図１２に示した画面が表示される。そして、ステップＳ５４に戻り、上述した処理が繰り返される。
【０１７２】
次に、図２１を参照して、図１のデジタルカメラ１が記録部７５に記録されている画像ファイルを再生する再生処理について説明する。この再生処理は、例えば、ユーザから再生が指令されたとき、開始される。
【０１７３】
ステップＳ８１において、再生部７６は、記録部７５からＡＶファイルを読み出し、ステップＳ８２に進む。
【０１７４】
ステップＳ８２において、入力部７９は、再生対象とする画像ファイルのグループが指定されたかどうかを判定する。なお、再生対象とする画像ファイルのグループは、１つであっても、複数であってもよい。また、ユーザは、再生対象とする画像ファイルのグループを指定しても、再生対象としない画像ファイル（再生対象から除外する画像ファイル）のグループを指定してもよい。
【０１７５】
ステップＳ８２において、グループが指定されたと判定された場合、ステップＳ８３に進み、入力部７９は、表示モードがインデックス表示モードであるかどうか、即ちユーザによりインデックス表示モードの設定が指令されたかどうかを判定し、インデックス表示モードであると判定された場合、ステップＳ８４に進む。
【０１７６】
ステップＳ８４において、再生部７６は、ステップＳ８３で読み出されたＡＶファイルに基づいて、そのＡＶファイルの、ステップＳ８２でユーザにより指定されたグループに対応するグループフォルダ１０５内のすべての管理ファイル１０６に対応するサムネイル画像ファイル１０７を、記録部７５から読み出す（再生する）。そして、再生部７６は、そのサムネイル画像ファイル１０７を、表示制御部７７に供給する。
【０１７７】
ステップＳ８５において、表示制御部７７は、ステップＳ８４で供給されるサムネイル画像ファイル１０７に対応するサムネイル画像のインデックス表示を行うとともに、そのサムネイル画像のグループを表すグループ情報を表示させる。即ち、表示部７８には、図１５や図１７に示したように、サムネイル画像がインデックス表示されるとともに、アイコン２８１またはグループ表示部２９２がグループ情報として表示される。
【０１７８】
このように、ステップＳ８５では、ユーザにより指定されたグループのサムネイル画像のインデックス表示が行われるので、ユーザは、所望のグループに分類された画像のサムネイル画像を一覧することができる。これにより、例えば、ユーザは、メモリカード４３または外部装置５１から記録済みの画像を確認することができる。また、ユーザは、取得元から、新たに画像ファイルを記録する場合、その取得元のグループに分類された画像のサムネイル画像を一覧することにより、画像ファイルを２重に記録することを容易に防止することができる。
【０１７９】
一方、ステップＳ８３において、表示モードがインデックス表示モードではない、即ち表示モードがシングル表示モードであると判定された場合、ステップＳ８６に進み、再生部７６は、ステップＳ８１で読み出されたＡＶファイルに基づいて、そのＡＶファイルの、ステップＳ８２でユーザにより指定されたグループに対応するグループフォルダ１０５内の所定の管理ファイル１０６に対応する画像ファイルを記録部７５から読み出す（再生する）。そして、再生部７６は、その画像ファイルを表示制御部７７に供給する。
【０１８０】
ステップＳ８６の処理後は、ステップＳ８７に進み、表示制御部７７は、再生部７６から供給される画像ファイルに対応する画像のシングル表示を行うとともに、グループ情報を表示させる。即ち、表示部７８には、図１４や図１６に示した画面が表示される。
【０１８１】
また、ステップＳ８２において、ユーザによりグループが指定されていないと判定された場合、ステップＳ８８に進み、入力部７９は、表示モードがインデックス表示モードであるかどうかを判定する。
【０１８２】
ステップＳ８８において、表示モードがインデックス表示モードであると判定された場合、ステップＳ８９に進み、再生部７６は、ステップＳ８１で読み出されたＡＶファイルのすべての管理ファイル１０６に基づいて、すべての管理ファイル１０６に対応するサムネイル画像ファイル１０７を読み出し、表示制御部７７に供給する。また、再生部７６は、ＡＶファイルを表示制御部７７に供給する。
【０１８３】
ステップＳ８９の処理後は、ステップＳ９０に進み、表示制御部７７は、ステップＳ８９で供給されるＡＶファイルのグループフォルダ１０５に基づいて、グループごとに、そのグループに属するサムネイル画像ファイル１０７に対応するサムネイル画像と、そのグループを表すグループ情報を表示させる。
【０１８４】
例えば、表示制御部７７は、サムネイル画像ファイル１０７に対応するサムネイル画像を、そのサムネイル画像ファイル１０７に対応する管理ファイル１０６が属するグループフォルダ１０５ごとに枠で囲んでインデックス表示させるとともに、その枠内にグループ情報を表示させる。
【０１８５】
一方、ステップＳ８８において、表示モードがインデック表示モードではない、即ち表示モードがシングル表示モードであると判定された場合、ステップＳ９１に進み、再生部７６は、ステップＳ８２で読み出されたＡＶファイルの管理ファイル１０６に基づいて、すべての管理ファイル１０６に対応する画像ファイルを記録部７５から読み出し、表示制御部７７に供給する。また、再生部７６は、ＡＶファイルを表示制御部７７に供給する。
【０１８６】
ステップＳ９１の処理後は、ステップＳ９２に進み、表示制御部７７は、ステップＳ９１で供給されるＡＶファイルのグループフォルダ１０５に基づいて、画像ファイルに対応する画像をシングル表示するととともに、その画像のグループ情報を表示させる。
【０１８７】
以上のように、図１のデジタルスチルカメラ１は、ＡＶファイルを作成することにより、画像ファイルをグループごとに分類し、記録するので、図２１の再生処理において、所定のグループの画像ファイルに対応するサムネイル画像または画像を表示させることができる。これにより、ユーザは、所望の取得元から取得された画像を容易に検索することができる。また、例えば、メモリカード４３と外部装置５１から取得した画像以外の画像、即ち撮影された結果得られる画像のみを表示させることもできる。
【０１８８】
なお、画像ファイルは、静止画像のファイルであっても、動画像のファイルであってもよい。また、図１のメモリカードI/F３７には、複数のメモリカード４３が装着されるようにしてもよいし、通信部３９には、複数の外部装置５１が装着されるようにしてもよい。
【０１８９】
さらに、上述した説明では、メモリカード４３または外部装置５１に記録されている画像ファイルが、分類されて記録部２３に記録されたが、外部装置５１または記録部２３に記録されている画像ファイルが、分類されてメモリカード４２に記録されるようにしてもよい。
【０１９０】
また、画像ファイルは、複数のグループに分類されるようにしてもよい。即ち、メモリカード４３または外部装置５１から取得された画像ファイルが、ユーザによりグループＡ乃至Ｃに分類されたり、撮影の結果得られる画像ファイルが、ユーザの指令によりグループＡ乃至グループＣの２つ以上のグループに分類されるようにしてもよい。
【０１９１】
この場合、例えば、管理ファイル１０６が、グループフォルダ１０５−１と、グループフォルダ１０５−３に設けられたり、管理ファイル１０６が、グループフォルダ１０５−３と１０５−４に設けられる。
【０１９２】
本発明は、デジタルスチルカメラのほか、デジタルビデオカメラ、携帯電話、画像ビューア等の画像を記録して管理する装置に適用することができる。
【０１９３】
以上のように、図１のデジタルスチルカメラ１では、取得部７１が、メモリカード４３または外部装置５１より画像データを取得し、画像管理部７３が、その取得された画像データと、その画像データが外部より取得された画像データであることを示す取得元情報とを関連付けて管理するように、記録制御部７４による記録を制御するようにしたので、外部の装置から画像を取得する場合において、所望の取得元から取得された画像を容易に検索することができる。
【０１９４】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１９５】
また、本発明の実施の形態は、上述した実施の形態に限定されるものではなく、本発明の要旨を逸脱しない範囲において種々の変更が可能である。
【図面の簡単な説明】
【０１９６】
【図１】本発明を適用したデジタルスチルカメラの構成例を示すブロック図である。
【図２】図１のデジタルスチルカメラの機能的構成例を示すブロック図である。
【図３】ＡＶファイルのフォルダ構造の例を示す図である。
【図４】ＡＶファイルの構成例を示す図である。
【図５】インデックス表示モード時において、画像ファイルの記録を指令するための操作について説明する図である。
【図６】インデックス表示モード時において、画像ファイルの記録を指令するための操作について説明する図である。
【図７】インデックス表示モード時において、画像ファイルの記録を指令するための操作について説明する図である。
【図８】インデックス表示モード時において、画像ファイルの記録を指令するための操作について説明する図である。
【図９】インデックス表示モード時において、画像ファイルの記録を指令するための操作について説明する図である。
【図１０】インデックス表示モード時において、画像ファイルの記録を指令するための操作について説明する図である。
【図１１】インデックス表示モード時において、画像ファイルの記録を指令するための操作について説明する図である。
【図１２】シングル表示モード時において、画像ファイルの記録を指令するための操作について説明する図である。
【図１３】シングル表示モード時において、画像ファイルの記録を指令するための操作について説明する図である。
【図１４】シングル表示モード時に再生された画像の表示画面の例を示す図である。
【図１５】インデックス表示モード時に再生された画像の表示画面の例を示す図である。
【図１６】シングル表示モード時に再生された画像の表示画面の他の例を示す図である。
【図１７】シングル表示モード時に再生された画像の表示画面の他の例を示す図である。
【図１８】インデックス取得処理を説明するフローチャートである。
【図１９】インデックス取得処理を説明するフローチャートである。
【図２０】シングル取得処理を説明するフローチャートである。
【図２１】再生処理を説明するフローチャートである。
【符号の説明】
【０１９７】
２３  記録部，  ３１  CPU，  ３３  ROM，  ３４  RAM，  ３９  通信部，  ４３  メモリカード，  ５１  外部装置，  ７１  取得部，  ７２  撮影部，  ７３  画像管理部，  ７４  記録制御部，  ７５  記録部，  ７６  再生部，  ７７  表示制御部，  ７８  表示部，  ７９  入力部
【図１】
2007066005.tif 000003
【図２】
2007066005.tif 000004
【図３】
2007066005.tif 000005
【図４】
2007066005.tif 000006
【図５】
2007066005.tif 000007
【図６】
2007066005.tif 000008
【図７】
2007066005.tif 000009
【図８】
2007066005.tif 000010
【図９】
2007066005.tif 000011
【図１０】
2007066005.tif 000012
【図１１】
2007066005.tif 000013
【図１２】
2007066005.tif 000014
【図１３】
2007066005.tif 000015
【図１４】
2007066005.tif 000016
【図１５】
2007066005.tif 000017
【図１６】
2007066005.tif 000018
【図１７】
2007066005.tif 000019
【図１８】
2007066005.tif 000020
【図１９】
2007066005.tif 000021
【図２０】
2007066005.tif 000022
【図２１】
2007066005.tif 000023